(57)【特許請求の範囲】
【請求項１】
入力された信号からトーン信号を除去する機能と、前記トーン信号によって作動するトーンスケルチ機能とを備えた受信装置において、
除去周波数が、制御信号に応じて制御される可変フィルタ手段と、
前記入力された信号からトーン信号を抽出するローパスフィルタと、
前記可変フィルタ手段から出力される信号を、スケルチ開信号もしくはスケルチ閉信号に応じてオン／オフ制御するスケルチゲート回路と、
前記ローパスフィルタから出力される前記トーン信号が入力され、このトーン信号の周波数に応じた制御信号を前記可変フィルタ手段に出力するとともに、前記トーン信号を分析して所定のトーン信号であるときにはスケルチ開信号を出力し、それ以外のときにはスケルチ閉信号を前記スケルチゲート回路に出力する制御部と、
を備えたことを特徴とする受信装置。
【発明の詳細な説明】
【０００１】
【発明の属する技術分野】
本発明は、受信装置のトーンスケルチ機能等において使用される音声周波数帯域内に付加したトーン信号を除去する技術に関するものである。
【０００２】
【従来の技術】
従来より、音声信号にトーン信号を付加することによって通信相手の識別を行う機能（一般的にトーンスケルチ機能と呼ばれる。）を備えたＦＭ受信装置等が用いられている。このようなトーンスケルチ機能をオンした場合には、スピーカ等から出力される音声信号にトーン信号が混入しないように、受信信号を復調した後に固定フィルタによってトーン信号を除去するよう構成されている。
【０００３】
【発明が解決しようとする課題】
ところが、上述したような従来の固定フィルタを用いたトーン除去フィルタは、トーン信号の周波数の設定可能範囲（例えば67.0Hz〜254.1Hz）をカバーするために、音声周波数帯域内の広い範囲（例えば67.0Hz〜254.1Hz）を除去するように設定されている。
そのため、例えば最低周波数（例えば67.0Hz）のトーン信号を除去する場合でも、トーン信号の周波数の設定可能範囲（例えば67.0Hz〜254.1Hz）全体が除去される。
このような理由から、トーンスケルチ機能のオン／オフによって低周波特性が大きく変化するという問題があった。
【０００４】
そこで、本発明は、CTCSS等のトーン信号を利用した受信装置等において、除去すべきトーン信号のみを除去する技術を提供することを目的としてなされたものである。
【０００５】
【課題を解決するための手段】
本発明にかかる受信装置は、
入力された信号からトーン信号を除去して出力するように構成された受信装置において、
前記入力された信号から除去する除去周波数が、制御信号に応じて制御される可変フィルタ手段と、
前記入力された信号からトーン信号を抽出するローパスフィルタと、
前記可変フィルタ手段から出力される信号を、スケルチ開信号もしくはスケルチ閉信号に応じてオン／オフ制御するスケルチゲート回路と、
前記ローパスフィルタから出力される前記トーン信号が入力され、このトーン信号の周波数に応じた制御信号を前記可変フィルタ手段に出力するとともに、前記トーン信号を分析して所定のトーン信号であるときにはスケルチ開信号を出力し、それ以外のときにはスケルチ閉信号を前記スケルチゲート回路に出力する制御部と、
を備えるという手段を講じた。
【０００６】
本発明においては以上のような手段を講じたので、可変フィルタの除去周波数は、音声周波数帯域内に付加されたトーン信号に応じて制御される。従って、トーン信号の設定可能範囲の全てが排除される訳ではない。
【０００７】
【発明の実施の形態】
以下に、本発明にかかる受信装置を、その実施の形態としてのＦＭ受信装置を図面に基づいて詳細に説明する。
【０００８】
ＦＭ受信装置１０の復調部の構成を示した図１において、
１は、入力された中間周波信号（ＩＦ信号）を検波して低周波信号（ＡＦ信号）として出力する復調部である。
２は前記復調部１を制御する制御部（ＣＰＵ）である。
なお、前記ＩＦ信号は、図示しない高周波部や同調部そして周波数変換部を介して入力される信号であり、前記ＡＦ信号は、図示しない低周波部を介してスピーカ等から音響信号として出力される信号である。
【０００９】
前記復調部１は、ＩＦ信号をデジタル信号に変換するＡ／Ｄ変換器１１と、デジタル化されたＩＦ信号をデジタル処理により検波する検波手段１２と、検波された信号をアナログ信号に変換するＤ／Ａ変換手段１３と、検波された信号をディエンファシス処理してＳ／Ｎ比を向上させた低周波信号を出力するディエンファシス手段１４と、ディエンファシス処理された低周波信号からトーン信号を除去して音声信号を出力する可変フィルタ手段１５と、可変フィルタ手段１５から出力されたデジタル信号をアナログ信号の音声信号に変換するＤ／Ａ変換手段１６と、Ｄ／Ａ変換手段１６から出力される音声信号をオン／オフ制御するスケルチゲート回路１７と、Ｄ／Ａ変換手段１３から出力されるアナログ信号からトーン信号を抽出するローパスフィルタ１８とから構成されている。
【００１０】
前記検波手段１２、Ｄ／Ａ変換手段１３、ディエンファシス手段１４、および可変フィルタ手段１５は、ＤＳＰによって実現されている。
【００１１】
前記制御部２は、前記ローパスフィルタ１８から出力されるトーン信号が入力され、このトーン信号の周波数に応じた制御信号を前記可変フィルタ手段１５に出力するとともに、前記トーン信号を分析して所定のトーン信号であるときにはスケルチ開信号を出力し、それ以外のときにはスケルチ閉信号を前記スケルチゲート回路１７に出力する。
前記制御部２に入力されるトーン信号の周波数と、前記制御部２から出力される制御信号との関係は、図２の（Ａ）に示したように設定されている。そして、前記可変フィルタの特性は、図２の（Ｂ）に示したように設定されている。
また、トーンスケルチ機能をオフにした場合に可変フィルタが非作動状態となった場合の周波数特性を図３に示した。
【００１２】
上記構成のＦＭ受信装置１０において、
当該受信装置に割り当てられたトーン信号の周波数がｆ１であって、トーンスケルチ機能をオンにしている場合で説明する。
前記ＩＦ信号に周波数ｆ１のトーン信号が含まれている場合には、前記Ｄ／Ａ変換手段１３とローパスフィルタ１８とを介してトーン検出信号が制御部２に入力されるので、スケルチ開信号が前記スケルチゲート回路１７に出力される。その結果、ＡＦ信号がスケルチゲート回路１７を通過して後段の低周波部に出力されるのである。
そして、前記ＣＰＵからは制御信号ｃ１が前記可変フィルタに出力されるので、前記可変フィルタは特性ｐ１となる。従って、復調後の信号に含まれる周波数ｆ１のトーン信号は、その除去帯域に含まれるので除去されるのである。即ち、トーン信号が除去されたＡＦ信号が後段の低周波部へ出力されるのである。このとき、周波数ｆ１以下の成分は除去されるが、周波数ｆ１より高い周波数成分は除去されない。従って、トーンスケルチ機能をオンに切り替えても音質の劣化は最小限に抑えられる。
【００１３】
当該受信装置に割り当てられていない周波数のトーン信号が前記ＩＦ信号に含まれている場合には、前記Ｄ／Ａ変換手段１３とローパスフィルタ１８とを介してトーン検出信号がＣＰＵに入力されるが、前記トーン信号は当該受信装置に割り当てられたものではないので、スケルチ閉信号が前記スケルチゲート回路１７に出力される。その結果、ＡＦ信号はスケルチゲート回路１７で遮断されて後段には出力されないのである。
【００１４】
次に、トーンスケルチ機能をオフにしている場合で説明する。この場合には、前記スケルチゲートは常時開いている。
前記ＩＦ信号にトーン信号が含まれている場合には、前記Ｄ／Ａ変換手段１３とローパスフィルタ１８とを介してトーン検出信号が制御部２に入力されるので、制御部２からはその周波数に応じた制御信号が前記可変フィルタに出力される。従って、復調後の信号に含まれるトーン信号の周波数は、前記可変フィルタの除去帯域に含まれるので除去されるのである。このとき、前記トーン信号の周波数以下の成分は除去されるが、その周波数より高い周波数成分は除去されない。従って、トーンスケルチ機能をオンに切り替えても音質の劣化は最小限に抑えられる。
【００１５】
以上の例においては、可変フィルタが可変ハイパスフィルタ形式であるため、カットオフ周波数以下の成分まで除去されてしまうが、可変フィルタを可変ノッチフィルタ（可変バンドイジェクトフィルタ）形式とすれば、カットオフ周波数のみが除去されて、それより高い周波数成分も低い周波数成分も除去されない。従って、トーンスケルチ機能をオンに切り替えても音質の劣化は更に小さいものとなる。このとき、前記制御信号を、別途設けた操作手段によって変更可能とすることによって、所望の周波数成分のみを選択的に除去する機能を実現することができる。
【００１６】
この発明のトーン除去フィルタは、ＦＭ受信装置に限らず、ＤＳＰを応用した種々の受信装置に採用することができる。
【００１７】
【発明の効果】
本発明の受信装置によれば、音声周波数帯域内に付加したトーン信号を除去するトーン除去フィルタに可変フィルタを採用することによって、低周波信号から除去される成分を前記トーン信号を含んだ最小限の成分に抑えることができるので、トーンスケルチ機能をオンにした場合の音質の劣化は最小限に抑えられる。
【図面の簡単な説明】
【図１】  本発明にかかる受信装置の実施の形態の構成を示したブロック図である。
【図２】  トーン信号の周波数と制御信号と可変フィルタの特性の関係を示した説明図である。
【図３】  トーンスケルチ機能をオフにした場合の周波数特性を示した図である。
【符号の説明】
１０  ＦＭ受信装置、受信装置
１５ 可変フィルタ、可変フィルタ手段
１７ スケルチゲート回路
１３、１８、２ 出力手段
１３ Ｄ／Ａ変換手段
１８ ローパスフィルタ
２ 制御部
【図１】
0003786593.tif 000002
【図２】
0003786593.tif 000003
【図３】
0003786593.tif 000004